(57)【要約】      （修正有）【課題】パーゴラを設置した地面に模様状の影を表出させることができるパーゴラを提供する。【解決手段】パーゴラ１は、支柱３の上端に屋根を設けたパーゴラ１であって、屋根に複数枚の平板状の天板２０を設け、各天板２０は、遮光性を有するとともに、開口２１が形成され、開口２１を介して太陽光が透過する透光部と開口以外で太陽光を遮蔽する遮光部とを有する。また、屋根は、矩形枠状の外枠体６、７、８、９に梁１４を架設するとともに、外枠体６、７、８、９と梁１４との間又は梁１４と梁１４との間に桟１７を架設し、梁１４及び桟１７の下側に天板２０を梁１４及び桟１７と開口２１とが重ならない位置で取付ける。さらに、屋根は、天板２０を着脱自在に設ける。【選択図】図２
0003228039.tif 000002
【実用新案登録請求の範囲】
【請求項１】
支柱の上端に屋根を設けたパーゴラにおいて、
屋根に複数枚の平板状の天板を設け、各天板は、遮光性を有するとともに、開口が形成され、開口を介して太陽光が透過する透光部と開口以外で太陽光を遮蔽する遮光部とを有することを特徴とするパーゴラ。
【請求項２】
前記屋根は、矩形枠状の外枠体に梁を架設するとともに、外枠体と梁との間又は梁と梁との間に桟を架設し、梁及び桟の下側に前記天板を梁及び桟と開口とが重ならない位置で取付けたことを特徴とする請求項１に記載のパーゴラ。
【請求項３】
前記屋根は、前記天板を着脱自在に設けたことを特徴とする請求項１又は請求項２に記載のパーゴラ。
【考案の詳細な説明】
【技術分野】
【０００１】
本考案は、支柱の上端に屋根を設けたパーゴラに関するものである。
【背景技術】
【０００２】
公園や庭などに設置されるパーゴラは、支柱の上端に平行に設けられた２本の梁に複数の桟を一定の間隔をあけて平行に取付けて、日除けとして利用されている（たとえば、特許文献１参照。）。
【先行技術文献】
【特許文献】
【０００３】
【特許文献１】実用新案登録第３１９３２０２号公報
【考案の概要】
【考案が解決しようとする課題】
【０００４】
従来のパーゴラでは、屋根が梁と桟とで形成した簡単な形状となっているため、屋根によって地面に表出される影も単純な形状であり、パーゴラを利用する人の関心を引くものではなかった。
【課題を解決するための手段】
【０００５】
そこで、請求項１に係る本考案では、支柱の上端に屋根を設けたパーゴラにおいて、屋根に複数枚の平板状の天板を設け、各天板は、遮光性を有するとともに、開口が形成され、開口を介して太陽光が透過する透光部と開口以外で太陽光を遮蔽する遮光部とを有することにした。
【０００６】
また、請求項２に係る本考案では、前記請求項１に係る本考案において、前記屋根は、矩形枠状の外枠体に梁を架設するとともに、外枠体と梁との間又は梁と梁との間に桟を架設し、梁及び桟の下側に前記天板を梁及び桟と開口とが重ならない位置で取付けることにした。
【０００７】
また、請求項３に係る本考案では、前記請求項１又は請求項２に係る本考案において、前記屋根は、前記天板を着脱自在に設けることにした。
【考案の効果】
【０００８】
そして、本考案では、以下に記載する効果を奏する。
【０００９】
すなわち、本考案では、支柱の上端に屋根を設けたパーゴラにおいて、屋根に複数枚の平板状の天板を設け、各天板は、遮光性を有するとともに、開口が形成され、開口を介して太陽光が透過する透光部と開口以外で太陽光を遮蔽する遮光部とを有することにしているために、天板の透光部の形状によって地面に模様状の影を表出させることができ、パーゴラを利用する人の関心を引くことができる。
【００１０】
特に、矩形枠状の外枠体に梁を架設するとともに、外枠体と梁との間又は梁と梁との間に桟を架設し、梁及び桟の下側に前記天板を梁及び桟と開口とが重ならない位置で取付けた場合には、梁や桟によって遮光（変形）されることなく天板に形成した透光部によって地面に模様状の影を表出させることができる。
【００１１】
また、天板を着脱自在に設けた場合には、透光部の形状が異なる天板に付け替えることで、地面に表出される模様状の影を容易に変更することができる。
【図面の簡単な説明】
【００１２】
【図１】本考案に係るパーゴラを示す正面図。
【図２】同平面図。
【図３】同底面断面図。
【図４】同正面拡大断面図（ａ）、同側面拡大断面図（ｂ）。
【考案を実施するための形態】
【００１３】
以下に、本考案に係るパーゴラの具体的な構成について、図面を参照しながら説明する。
【００１４】
図１〜図４に示すように、パーゴラ１は、地面２に垂直に立設した４本の支柱３の上端に屋根４を取付けている。
【００１５】
屋根４は、４本の支柱３の上端間に矩形枠状の外枠体５を取付けている。この外枠体５は、前枠体６と後枠体７と左枠体８と右枠体９とで矩形枠形状となっており、四隅外側で支柱３に支持されている。前後左右枠体6〜9には、上端部に外枠体５の内側に向けて水平に張出した取付片10〜13が形成されている。
【００１６】
また、屋根４は、外枠体５の前枠体６の取付片10と後枠体７の取付片11との上部間に２本の梁14を左右に間隔をあけて平行に取付けている。各梁14には、下端部に左右に向けて平行に張出した取付片15,16が形成されている。
【００１７】
さらに、屋根４は、外枠体５の左枠体８の取付片12と左側の梁14の左側の取付片15との上部間と、左側の梁14の右側の取付片16と右側の梁14の左側の取付片15との上部間と、右側の梁14の右側の取付片16と外枠体５の右枠体９の取付片13との上部間とに、それぞれ２本の桟17を前後に間隔をあけて平行に取付けている。各桟17には、下端部に前後に向けて平行に張出した取付片18,19が形成されている。
【００１８】
このように、屋根４は、外枠体５と２本の梁14と６本の桟17とで９個の格子枠を有する格子状に形成されている。この格子状の屋根４には、各格子枠部分に天板20がそれぞれ下側から着脱自在に取付けられている。
【００１９】
各天板20は、遮光性を有する素材で形成されており、表裏を貫通する複数の開口21を形成している。開口21は、不規則な形状でもよいが、縞柄や格子柄や花柄などの所定の模様を形成する形状が好ましい。
【００２０】
これにより、各天板20には、開口21を介して太陽光が透過する透光部と、開口21以外で太陽光を遮蔽する遮光部とが形成されている。
【００２１】
各天板20は、外枠体５の取付片10〜13と梁14の取付片15,16と桟17の取付片18,19の下側に、梁14や桟17が開口21と重ならない位置で着脱自在（交換自在）に螺設されている。
【００２２】
なお、ここでは、屋根４に９枚の同一模様の天板20を取付けているが、これに限られず、異なる模様を形成した天板20を取付けてもよい。また、梁14や桟17の個数や形状や天板20の取付け方法などは適宜設計することができる。
【００２３】
パーゴラ１は、以上に説明したように構成しており、天板20に形成された透光部（開口21）と遮光部（開口21以外の部分）とによって太陽光が天板20を透過して地面２を照射する部分と太陽光が天板20で遮蔽されて地面２に影を形成する部分とからなる影模様を地面２に表出させることができる。
【００２４】
以上に説明したように、上記パーゴラ１は、屋根４に複数枚の平板状の天板20を設け、各天板20は、遮光性を有するとともに、開口21が形成され、開口21を介して太陽光が透過する透光部と開口以外で太陽光を遮蔽する遮光部とを有する構成となっている。
【００２５】
そのため、上記構成のパーゴラ１では、天板20の透光部の形状によって地面に模様状の影を表出させることができ、パーゴラ１を利用する人の関心を引くことができる。
【００２６】
また、上記パーゴラ１は、矩形枠状の外枠体５に梁14を架設するとともに、外枠体５と梁14との間又は梁14と梁14との間に桟17を架設し、梁14及び桟17の下側に天板20を梁14及び桟17と開口21とが重ならない位置で取付けた構成となっている。
【００２７】
そのため、上記構成のパーゴラ１では、梁14や桟17によって遮光（変形）されることなく天板20に形成した透光部によって地面２に模様状の影を表出させることができる。
【００２８】
また、上記パーゴラ１は、天板20を着脱自在に設けた構成となっている。
【００２９】
そのため、上記構成のパーゴラ１では、透光部の形状が異なる天板20に付け替えることで、地面２に表出される模様状の影を容易に変更することができる。
【符号の説明】
【００３０】
１  パーゴラ                    ２  地面
３  支柱                        ４  屋根
５  外枠体                      ６  前枠体
７  後枠体                      ８  左枠体
９  右枠体                      10〜13  取付片
14  梁                          15,16  取付片
17  桟                          18,19  取付片
20  天板                        21  開口
【図１】
0003228039.tif 000003
【図２】
0003228039.tif 000004
【図３】
0003228039.tif 000005
【図４】
0003228039.tif 000006